(57)【特許請求の範囲】
【請求項１】
乗かご及びつり合い重りと、前記乗かごと前記つり合い重りを連結するロープと、昇降路の天井の上方に設けた機械室と、この機械室内の床上に設置されたマシンベースと、前記マシンベース上に配置され、前記ロープを移動させる巻上機と、この巻上機を回転駆動するモータと、前記乗かごが所定階に着床したとき前記モータを制動するブレーキ装置と、前記巻上機に取り付けられ、前記ロープが掛け回されるメインシーブと、前記ロープが掛け回され、前記乗かごが前記つり合い重りから離隔するように前記ロープを反らせるそらせシーブと、前記ブレーキ装置が作動して前記モータを制動し、前記乗かごの戸が開いている状態で前記乗かごが移動したとき、前記ロープの移動を阻止するロープブレーキとを備え、前記メインシーブと前記そらせシーブとの間、および前記機械室の床上に前記ロープブレーキを設置できない構成のエレベータ装置において、
前記そらせシーブは、前記乗かごの上方であって前記メインシーブより水平方向において前記乗かごに近い位置に配置され、
前記巻上機と前記乗かごとの間の前記ロープは、前記そらせシーブにより鉛直方向に真っ直ぐな状態で前記昇降路の天井を貫通し、
前記昇降路の天井を貫通する前記巻上機と前記乗かごとの間の前記ロープの部分を前記部分が真っ直ぐな状態で制動する前記ロープブレーキを、前記昇降路の天井で、かつ前記そらせシーブの下方の位置に取り付ける取り付け手段を備えたことを特徴とするエレベータ装置。
【請求項２】
請求項１に記載のエレベータ装置において、
前記取り付け手段は、前記ロープブレーキを保持する保持ブラケットと、この保持ブラケットを前記昇降路の天井に固定するアンカーボルトとを含むことを特徴とするエレベータ装置。
【請求項３】
請求項２に記載のエレベータ装置において、
前記保持ブラケットは、前記ロープブレーキの一方の側部に取り付けられる第１保持ブラケットと、前記ロープブレーキの他方の側部に取り付けられる第２保持ブラケットとを含み、
前記アンカーボルトは、前記第１保持ブラケットを前記昇降路の天井に固定する第１アンカーボルトと、前記第２保持ブラケットを前記昇降路の天井に固定する第２アンカーボルトとを含むことを特徴とするエレベータ装置。
【請求項４】
請求項１に記載のエレベータ装置において、
前記取り付け手段は、前記ロープブレーキを保持する保持ブラケットと、この保持ブラケットが支持される支持ブラケットと、前記保持ブラケットを前記支持ブラケットに固定する固定部材と、前記支持ブラケットを前記昇降路の天井に固定するアンカーボルトとを含むことを特徴とするエレベータ装置。
【請求項５】
請求項４に記載のエレベータ装置において、
前記保持ブラケットは、前記ロープブレーキの一方の側部に取り付けられる第１保持ブラケットと、前記ロープブレーキの他方の側部に取り付けられる第２保持ブラケットとを含み、
前記固定部材は、前記第１保持ブラケットを前記支持ブラケットに固定する第１ボルト、この第１ボルトに螺合する第１ナットと、前記第２保持ブラケットを前記支持ブラケットに固定する第２ボルト、この第２ボルトに螺合する第２ナットとを含み、
前記アンカーボルトは、前記支持ブラケットの一方の側端部を前記昇降路の天井に固定する第１アンカーボルトと、前記支持ブラケットの他方の側端部を前記昇降路の天井に固定する第２アンカーボルトとを含むことを特徴とするエレベータ装置。
【発明の詳細な説明】
【技術分野】
【０００１】
本発明は、巻上機を回転駆動するモータを制動するブレーキ装置を備えるとともに、ロープの移動を阻止するロープブレーキを備えたエレベータ装置に関する。
【背景技術】
【０００２】
この種の従来技術が特許文献１に開示されている。この特許文献１に開示された従来のエレベータ装置は、乗かご及びつり合い重りと、これらの乗かごとつり合い重りを連結するロープと、昇降路の天井の上方に設けた機械室内に配置され、ロープを移動させる巻上機とを備えている。また、このエレベータ装置は、巻上機に取り付けられ、ロープが掛け回されるメインシーブと、ロープが掛け回され、乗かごがつり合い重りから離隔するようにロープを反らせるそらせシーブとを備えている。
【０００３】
なお、この特許文献１には開示されていないが、一般にエレベータ装置にあっては、巻上機を回転駆動するモータと、乗かごが所定階に着床したときモータを制動するブレーキ装置とを備えている。
【０００４】
また、この特許文献１に開示された従来技術は、ブレーキ装置が作動してモータを制動し、乗かごの戸が開かれている状態で乗かごが移動、すなわち戸開走行したときに、ロープの移動すなわち乗かごの移動を阻止するロープブレーキを備えている。このロープブレーキは、メインシーブとそらせシーブの間に位置するロープの部分を把持することによってロープの移動を阻止するようになっている。
【先行技術文献】
【特許文献】
【０００５】
【特許文献１】特開２００７−２０４２３８号公報
【発明の概要】
【発明が解決しようとする課題】
【０００６】
ところで、ロープブレーキを設置する場合、エレベータ装置の機種によってはメインシーブとそらせシーブの間隔が狭くて設置できないことがある。このような場合には、メインシーブとそらせシーブとの間隔を広げるために、巻上機が設置されている機械室内において、重量物である巻上機を揚重装置で吊り上げ、巻上機の下側に高さ寸法を確保するスペーサを挿入するなどの大掛かりな作業が必要となる。
【０００７】
また、機械室によっては、巻上機を吊り上げる空間を確保できず、ロープブレーキの設置が困難となる場合がある。このような場合には、例えばロープブレーキを機械室の床上に設置することが考えられるが、機械室の床上には巻上機を支持するマシンベース等の機材が設置されていることから、この床上にロープブレーキの設置スペースを確保することも困難である。
【０００８】
本発明は、前述した従来技術における実情からなされたもので、その目的は、エレベータ装置の機種及び機械室による制約を受けることなく、ロープブレーキを設置することができるエレベータ装置を提供することにある。
【課題を解決するための手段】
【０００９】
前記目的を達成するために、本発明に係るエレベータ装置は、乗かご及びつり合い重りと、前記乗かごと前記つり合い重りを連結するロープと、昇降路の天井の上方に設けた機械室と、この機械室内の床上に設置されたマシンベースと、前記マシンベース上に配置され、前記ロープを移動させる巻上機と、この巻上機を回転駆動するモータと、前記乗かごが所定階に着床したとき前記モータを制動するブレーキ装置と、前記巻上機に取り付けられ、前記ロープが掛け回されるメインシーブと、前記ロープが掛け回され、前記乗かごが前記つり合い重りから離隔するように前記ロープを反らせるそらせシーブと、前記ブレーキ装置が作動して前記モータを制動し、前記乗かごの戸が開いている状態で前記乗かごが移動したとき、前記ロープの移動を阻止するロープブレーキとを備え、前記メインシーブと前記そらせシーブとの間、および前記機械室の床上に前記ロープブレーキを設置できない構成のエレベータ装置において、前記そらせシーブは、前記乗かごの上方であって前記メインシーブより水平方向において前記乗かごに近い位置に配置され、前記巻上機と前記乗かごとの間の前記ロープは、前記そらせシーブにより鉛直方向に真っ直ぐな状態で前記昇降路の天井を貫通し、前記昇降路の天井を貫通する前記巻上機と前記乗かごとの間の前記ロープの部分を前記部分が真っ直ぐな状態で制動する前記ロープブレーキを、前記昇降路の天井で、かつ前記そらせシーブの下方の位置に取り付ける取り付け手段を備えたことを特徴としている。
【発明の効果】
【００１０】
本発明に係るエレベータ装置は、取り付け手段によってロープブレーキを昇降路の天井に取り付けるようにしたことから、エレベータ装置の機種及び機械室による制約を受けることなくロープブレーキを設置することができる。また、ロープブレーキの設置に際しては、乗かごを昇降路の天井に接近させるように移動させ、乗かごの上部から能率良く設置作業を行うことができる。
【図面の簡単な説明】
【００１１】
【図１】本発明に係るエレベータ装置の第１実施形態を示す側面図である。
【図２】図１のＡ部拡大図である。
【図３】図２の正面図である。
【図４】本発明の第２実施形態の要部を示す側面図である。
【図５】図４の正面図である。
【発明を実施するための形態】
【００１２】
以下、本発明に係るエレベータ装置の実施の形態を図面に基づいて説明する。
【００１３】
図１は本発明に係るエレベータ装置の第１実施形態を示す側面図、図２は図１のＡ部拡大図、図３は図２の正面図である。
【００１４】
図１に示すように、本発明の第１実施形態に係るエレベータ装置は、乗かご１及びつり合い重り２と、これらの乗かご１とつり合い重り２を連結するロープ３と、昇降路１１の天井１１ａの上方に設けた機械室４とを備えている。
【００１５】
また、この第１実施形態は、機械室４の床上に設置されたマシンベース５上に取り付けられ、ロープ３を移動させる巻上機７と、この巻上機７を回転駆動するモータ８と、乗かご１が所定階１２に着床したときモータ８を制動するブレーキ装置９とを備えている。
【００１６】
また、巻上機７に取り付けられ、ロープ３が掛け回されるメインシーブ６と、ロープ３が掛け回され、乗かご１がつり合い重り２から離隔するようにロープ３を反らせるそらせシーブ１０とを備えている。
【００１７】
また、この第１実施形態は、乗かご１の走行制御、すなわちモータ８の駆動、及びブレーキ装置９の駆動を制御する制御装置１３を備えている。この制御装置１３は、乗かご１が着床して乗かご１の戸が開かれた際に、図示しない戸開検出手段から出力される戸開検出信号が入力されるようになっている。
【００１８】
また、この第１実施形態は、ブレーキ装置９が作動してモータ８を制動し、乗かご１の戸が開かれている状態で乗かご１が移動した時、すなわち戸開走行が行われたとき、ロープ３の移動を阻止するロープブレーキ２０を備えている。このロープブレーキ２０は、昇降路１１の天井１１ａを貫通するロープ３の部分を、その部分が真っ直ぐな状態で制動するものである。
【００１９】
また、ロープブレーキ２０を昇降路１１の天井１１ａに取り付ける取り付け手段を備えている。この取り付け手段は、ロープブレーキ２０を保持する保持ブラケットと、この保持ブラケットを昇降路１１の天井１１ａに固定するアンカーボルトとを備えている。
【００２０】
図２，３に示すように、前述した保持ブラケットは、ロープブレーキ２０の一方の側部に取り付けられる第１保持ブラケット２１ａと、ロープブレーキ２０の他方の側部に取り付けられる第２保持ブラケット２１ｂとを含んでいる。また、前述したアンカーボルトは、第１保持ブラケット２１ａを昇降路１１の天井１１ａに固定する第１アンカーボルト２２ａと、第２保持ブラケット２１ｂを昇降路１１の天井１１ａに固定する第２アンカーボルト２２ｂとを含んでいる。
【００２１】
このように構成した第１実施形態に係るエレベータ装置は、制御装置１３の制御により乗かご１が通常走行して所定階１２に着床し、巻上機７を駆動するモータ８がブレーキ装置９によって制動され、乗かご１の戸、及び乗場の戸が開かれた状態にあって、何らかの理由により戸開走行が行われたときには、図示しない戸開検出手段から制御装置１３に戸開検出信号が出力される。これによりロープブレーキ２０が作動し、このロープブレーキ２０によってロープ３の移動が阻止され、乗かご１は停止する。このように戸開走行が行われたときには、制御装置１３から出力される信号により、乗かご１は速やかに停止制御される。
【００２２】
以上のように、この第１実施形態に係るエレベータ装置によれば、第１保持ブラケット２１ａ、第２保持ブラケット２１ｂ、第１アンカーボルト２２ａ、及び第２アンカーボルト２２ｂを含む取り付け手段によって、ロープブレーキ２０を昇降路１１の天井１１ａに取り付けるようにしたことから、エレベータ装置の機種及び機械室４による制約を受けることなく、ロープブレーキ２０を配置することができる。
【００２３】
また、ロープブレーキ２０の設置に際しては、乗かご１を昇降路１１の天井１１ａに接近させるように移動させ、乗かご１の上部から能率良く設置作業を行うことができる。
【００２４】
図４は本発明の第２実施形態の要部を示す側面図、図５は図４の正面図である。
【００２５】
これらの図４，５に要部を示す第２実施形態に係るエレベータ装置は、ロープブレーキ２０を昇降路１１の天井１１ａに取り付ける取り付け手段が、ロープブレーキ２０を保持する保持ブラケットと、この保持ブラケットが支持される支持ブラケット３１と、保持ブラケットを支持ブラケット３１に固定する固定部材と、支持ブラケット３１を昇降路１１の天井１１ａに固定するアンカーボルトとを含んでいる。
【００２６】
この第２実施形態に備えられる保持ブラケットは、前述した第１実施形態におけるのと同様に、ロープブレーキ２０の一方の側部に取り付けられる第１保持ブラケット３０ａと、ロープブレーキ２０の他方の側部に取り付けられる第２保持ブラケット３０ｂとを含んでいる。
【００２７】
また、前述した固定部材は、第１保持ブラケット３０ａを支持ブラケット３１に固定する第１ボルト３３、この第１ボルト３３に螺合する第１ナット３４と、第２保持ブラケット３０ｂを支持ブラケット３１に固定する第２ボルト３５、この第２ボルト３５に螺合する第２ナット３６とを含んでいる。
【００２８】
また、この第２実施形態に備えられるアンカーボルトは、支持ブラケット３１の一方の側端部３１ａを昇降路１１の天井１１ａに固定する第１アンカーボルト３２ａと、支持ブラケット３１の他方の側端部３１ｂを昇降路１１の天井１１ａに固定する第２アンカーボルト３２ｂとを含んでいる。その他の構成は前述した図１に示す第１実施形態と同等である。
【００２９】
このように構成した第２実施形態も、前述した第１実施形態と同等の作用効果が得られる他、ロープブレーキ２０がロープ３を把持した力を、剛性の高い部材を形成し得る支持ブラケット３１で安定して受けることができ、ロープ３の移動阻止精度を高めることができる。
【符号の説明】
【００３０】
１    乗かご
２    つり合い重り
３    ロープ
４    機械室
５    マシンベース
６    メインシーブ
７    巻上機
８    モータ
９    ブレーキ装置
１０    そらせシーブ
１１    昇降路
１１ａ  天井
１２    所定階
１３    制御装置
２０    ロープブレーキ
２１ａ  第１保持ブラケット（取り付け手段）
２１ｂ  第２保持ブラケット（取り付け手段）
２２ａ  第１アンカーボルト（取り付け手段）
２２ｂ  第２アンカーボルト（取り付け手段）
３０ａ  第１保持ブラケット（取り付け手段）
３０ｂ  第２保持ブラケット（取り付け手段）
３１    支持ブラケット（取り付け手段）
３１ａ  側端部
３１ｂ  側端部
３２ａ  第１アンカーボルト（取り付け手段）
３２ｂ  第２アンカーボルト（取り付け手段）
３３    第１ボルト（固定部材）
３４    第１ナット（固定部材）
３５    第２ボルト（固定部材）
３６    第２ナット（固定部材）
【図１】
0006293078.tif 000002
【図２】
0006293078.tif 000003
【図３】
0006293078.tif 000004
【図４】
0006293078.tif 000005
【図５】
0006293078.tif 000006